(57)【要約】      （修正有）【課題】空気清浄装置に関し、運転状態を目視で容易に確認できるようにして、使用感の向上を図る。【解決手段】本発明は、吸気口４と排気口２を有する本体ケース１と、吸気口４と排気口２とを連通する風路と、風路に設けた空気清浄手段と送風手段と、本体ケース１の前面に設けた前面化粧板３と、前面化粧板３を移動させる駆動手段とを備えている。吸気口４は、本体ケース１の少なくとも１側面に設けた第１の吸気口９と、本体ケース１の前面下部に設けた第２の吸気口１０とを備え、前面化粧板３の上部を回動中心とし、駆動手段によって前面化粧板３の下部を上下前後動させることで、第１の吸気口９、第２の吸気口１０の開口面積のうち少なくとも第２の吸気口１０の開口面積を可変する。前面化粧板３は、前面化粧板３の途中から下端に向かうにつれて本体ケース１の前方側へ徐徐に突出したものである。【選択図】図２
2017032227.tif 000002
【特許請求の範囲】
【請求項１】
吸気口と排気口を有する本体ケースと、前記吸気口と前記排気口とを連通する風路と、前記風路に設けた空気清浄手段と送風手段と、前記本体ケースの前面に設けた前面化粧板と、前記前面化粧板を移動させる駆動手段とを備え、前記吸気口は、前記本体ケースの少なくとも１側面に設けた第１の吸気口と、前記本体ケースの前面下部に設けた第２の吸気口とを備え、前記前面化粧板の上部を回動中心とし、前記駆動手段によって前記前面化粧板の下部を上下前後動させることで、前記第１の吸気口、前記第２の吸気口の開口面積のうち少なくとも前記第２の吸気口の開口面積を可変し、前記前面化粧板は、前記前面化粧板の途中から下端に向かうにつれて前記本体ケースの前方側へ徐徐に突出した構成であることを特徴とする空気清浄装置。
【請求項２】
前記前面化粧板には、上下方向に延びた曲面形状の曲面部を備えたことを特徴とする請求項１に記載の空気清浄装置。
【請求項３】
前記本体ケースの前面における左右縁には、前記本体ケースの前方側へ突出し、上下方向に延びたガイド部を備えたことを特徴とする請求項１または２に記載の空気清浄装置。
【請求項４】
前記前面化粧板の内面における左右寄りには、前記本体ケースの内方へ突出し、上下方向に延びた２本の補強部を備えたことを特徴とする請求項１から３のいずれかに記載の空気清浄装置。
【請求項５】
前記補強部の前記本体ケース内方へ突出する寸法は、前記補強部の上部より前記補強部の下部の方が大きいことを特徴とする請求項４に記載の空気清浄装置。
【請求項６】
前記前面化粧板の下部が上方および前方へ移動した場合に、前記本体ケースの一方側面側から見ると、前記補強部の少なくとも一部と、前記ガイド部の少なくとも一部とが重なることを特徴とする請求項４または５に記載の空気清浄装置。
【請求項７】
前記前面化粧板の上方には、前記本体ケースの前面から前記本体ケースの前方側へ突出した表示部を備え、前記前面化粧板の下部が上方および前方へ移動すると前記前面化粧板の上端は、前記表示部より前記本体ケースの内方へ移動することを特徴とする請求項１から６のいずれかに記載の空気清浄装置。
【発明の詳細な説明】
【技術分野】
【０００１】
本発明は、空気を浄化することのできる空気清浄装置に関する。
【背景技術】
【０００２】
従来、この種の空気清浄装置の構成は以下のようになっていた。
【０００３】
図１０に示すように、吸気口１０１と排気口１０２を有する本体ケース１０３と、吸気口１０１と排気口１０２とを連通する風路と、風路に設けた空気清浄手段と送風手段と、本体ケース１０３の前面に設けた前面化粧板１０４とを備えている。
【０００４】
吸気口１０１は、本体ケース１０３の２側面に設けた第１の吸気口１０１ａと、本体ケース１０３の下部に設けた第２の吸気口１０１ｂとを備えている。前面化粧板１０４の上端を回動中心１０５とし、前面化粧板１０４の下部を上下前後動させることで、第１の吸気口１０１ａ、第２の吸気口１０１ｂの開口面積を可変する。前面化粧板１０４は、平板形状である。
【０００５】
例えば、これに類似する先行文献は下記特許文献１に記載されている。
【先行技術文献】
【特許文献】
【０００６】
【特許文献１】特開２００５−１６８４１号公報
【発明の概要】
【発明が解決しようとする課題】
【０００７】
上記従来例における課題は、床上近傍の空気の吸い込み風量を更に増加させることであった。
【０００８】
すなわち、従来の物においては、前面化粧板の上端を回動中心とし、前面化粧板を本体ケースにおける前方、および上方へ移動させ、前面化粧板の下方となる本体ケースの前面下部の開口である第２の吸気口を広げることによって、床上近傍の空気の吸い込み風量を増加させていた。
【０００９】
しかし、前面化粧板の上端を回動中心とし、前面化粧板を本体ケースにおける前方、および上方へ移動させた場合には、前面化粧板の下方となる本体ケースの前面下部の開口が広がると共に、前面化粧板の両側面にも開口が形成される。つまり、これら前面化粧板の下方だけでなく、前面化粧板の両側面の開口からも吸い込まれるので、前面化粧板の両側面の開口から吸い込まれる風量分は、床上近傍の空気の吸い込み風量が増加しないものであった。
【００１０】
そこで本発明は、床上近傍の空気の吸い込み風量を更に増加させることを目的とするものである。
【課題を解決するための手段】
【００１１】
そしてこの目的を達成するために本発明は、吸気口と排気口を有する本体ケースと、前記吸気口と前記排気口とを連通する風路と、前記風路に設けた空気清浄手段と送風手段と、前記本体ケースの前面に設けた前面化粧板と、前記前面化粧板を移動させる駆動手段とを備え、前記吸気口は、前記本体ケースの少なくとも１側面に設けた第１の吸気口と、前記本体ケースの前面下部に設けた第２の吸気口とを備え、前記前面化粧板の上部を回動中心とし、前記駆動手段によって前記前面化粧板の下部を上下前後動させることで、前記第１の吸気口、前記第２の吸気口の開口面積のうち少なくとも前記第２の吸気口の開口面積を可変し、前記前面化粧板は、前記前面化粧板の途中から下端に向かうにつれて前記本体ケースの前方側へ徐徐に突出した構成であることを特徴とした。
【００１２】
これにより、初期の目的を達成するものである。
【発明の効果】
【００１３】
以上のように本発明は、前面化粧板が、前面化粧板の途中から下端に向かうにつれて本体ケースの前方側へ徐徐に突出しているので、前面化粧板の上部を回動中心とし、駆動手段によって前面化粧板の下部を上方、かつ前方へ動かし、第２の吸気口を所定開口面積まで開口しても、前面化粧板が平板形状の場合に比べ、第１の吸気口の開口面積を小さくすることができる。結果として、第２の吸気口からの吸い込み風量が増加し、床上近傍の空気の吸い込み風量を更に増加させることができる。
【図面の簡単な説明】
【００１４】
【図１】本発明の実施の形態１の空気清浄装置の斜視図
【図２】同空気清浄装置の斜視図
【図３】同空気清浄装置の断面図
【図４】同空気清浄装置の分解図
【図５】同空気清浄装置の前面化粧板の斜視図
【図６】同空気清浄装置の上部支持部を示す斜視図
【図７】同空気清浄装置の下部支持部を示す斜視図
【図８】同空気清浄装置の上部受部を示す斜視図
【図９】同空気清浄装置の下部受部を示す斜視図
【図１０】従来の空気清浄装置の側面図
【発明を実施するための形態】
【００１５】
本発明の請求項１記載の空気清浄装置は、前記本体ケースの少なくとも１側面に設けた第１の吸気口と、前記本体ケースの前面下部に設けた第２の吸気口とを備え、前記前面化粧板の上部を回動中心とし、前記駆動手段によって前記前面化粧板の下部を上下前後動させることで、前記第１の吸気口、前記第２の吸気口の開口面積のうち少なくとも前記第２の吸気口の開口面積を可変し、前記前面化粧板は、前記前面化粧板の途中から下端に向かうにつれて前記本体ケースの前方側へ徐徐に突出した構成である。
【００１６】
これにより、前面化粧板の上部を回動中心とし、駆動手段によって前面化粧板の下部を上方、かつ前方へ動かし、第２の吸気口を所定開口面積まで開口しても、前面化粧板が平板形状の場合に比べ、第１の吸気口の開口面積を小さくすることができる。結果として、第２の吸気口からの吸い込み風量が増加し、床上近傍の空気の吸い込み風量を更に増加させることができる。
【００１７】
また、前記前面化粧板には、上下方向に延びた曲面形状の曲面部を備えたものである。
【００１８】
これにより、第２の吸気口が、所定開口面積に開口するまで前面化粧板を回動させても、前面化粧板が平板形状の場合に比べ、第１の吸気口の開口面積を更に小さくすることができる。
【００１９】
また、前記本体ケースの前面における左右縁には、前記本体ケースの前方側へ突出し、上下方向に延びたガイド部を備えたものである。
【００２０】
これにより、第１の吸気口の開口面積を小さくすることができる。
【００２１】
また、前記前面化粧板の内面における左右寄りには、前記本体ケースの内方へ突出し、上下方向に延びた２本の補強部を備えたものである。
【００２２】
これにより、第１の吸気口から空気清浄手段へ繋がる風路の送風抵抗が増加し、第１の吸気口からの吸い込み風量を抑制できる。
【００２３】
また、前記補強部の前記本体ケース内方へ突出する寸法は、前記補強部の上部より前記補強部の下部の方が大きいものである。
【００２４】
これにより、第１の吸気口の開口面積を更に小さくすることができる。
【００２５】
ことを特徴とする請求項４に記載の空気清浄装置。
【００２６】
また、前記前面化粧板の下部が上方および前方へ移動した場合に、前記本体ケースの一方側面側から見ると、前記補強部の少なくとも一部と、前記ガイド部の少なくとも一部とが重なるものである。
【００２７】
これにより、第１の吸気口から空気清浄手段へ繋がる風路の送風抵抗が増加し、第１の吸気口からの吸い込み風量を抑制できる。
【００２８】
また、前記前面化粧板の上方には、前記本体ケースの前面から前記本体ケースの前方側へ突出した表示部を備え、前記前面化粧板の下部が上方および前方へ移動すると前記前面化粧板の上端は、前記表示部より前記本体ケースの内方へ移動するものである。
【００２９】
これにより、前面化粧板の上端と本体ケースとの隙間が小さくなり、第２の吸気口からの吸い込み風量を増加できる。
【００３０】
以下、本実施形態を添付図面を用いて説明する。
【００３１】
（実施の形態１）
図１は、本発明の実施の形態１の空気清浄装置の斜視図である。図１は、空気清浄装置が停止している状態を示す図である。図２は、本発明の実施の形態１の空気清浄装置の斜視図である。図２は、空気清浄装置の前面化粧板の下部を本体ケースにおける前方、および上方へ回動し、空気清浄運転をしている状態を示す図である。
【００３２】
図１および図２に示すように、本実施形態の空気清浄装置は、略箱形状の本体ケース１を備えている。本体ケース１の天面には、排気口２を備え、本体ケース１の前面には、前面化粧板３を備えている。前面化粧板３が、駆動手段（図示せず）によって上下前後動する。この時に前面化粧板３と本体ケース１との間に発生する隙間が、吸気口４となる。
【００３３】
排気口２は、本体ケース１の天面における前面側に第１の排気口５と、本体ケース１の天面における背面側に第２の排気口６とを備えている。第１の排気口５には、上下方向に回動する第１の風向板７と、第２の排気口６には、上下方向に回動する第２の風向板８とを備えている。これらの第１の風向板７と、第２の風向板８との回動方向によって、後述する送風機によって送風された空気の吹き出し方向が決まる。
【００３４】
前面化粧板３は、縦長四角形の板形状で、本体ケース１の前面と僅かに距離を有して設けられている。前面化粧板３は、前面化粧板３の上部を回動中心とし、駆動手段によって前面化粧板３の下部を上下前後動させることで、上下方向に回動する。この回動によって、本体ケース１と前面化粧板３との間に発生する隙間が吸気口４である。吸気口４は、本体ケース１の左右側面の隙間である第１の吸気口９と、本体ケースの前面下部の隙間である第２の吸気口１０とを備えている。
【００３５】
図３は、本発明の実施の形態１の空気清浄装置の断面図である。図３は、空気清浄装置の前面化粧板の下部を本体ケースにおける前方、および上方へ回動した状態を示す図である。
【００３６】
図３に示すように、吸気口４と排気口２とを連通する風路１１には、吸気口４側から順に、空気清浄手段１２、加湿手段１３、送風手段１４を設けている。送風手段１４によって、吸気口４から本体ケース１内に吸い込まれた空気は、空気清浄手段１２、加湿手段１３、送風手段１４を介して、排気口２から本体ケース１外へ送風される。
【００３７】
空気清浄手段１２は、縦長箱形状の空気清浄フィルター１２Ａで、濾材が蛇腹形状に折られたものであり、第１の吸気口９および第２の吸気口１０の風路風下側で、前面化粧板３に対向する位置に設けられている。
【００３８】
加湿手段１３は、空気清浄手段１２の風路風下側に設けており、水槽１５と、加湿フィルター部１６と、加湿フィルター枠部１７と、回転手段１８とを備えている。水槽１５は、略椀形状で、内部に水タンク（図示せず）から一定量の水が供給される。加湿フィルター部１６は、円板状で、水槽の水に周縁部の一部が常に浸漬している。加湿フィルター枠部１７は、略円環形状で、加湿フィルター部１６を固定し、水槽１５に回転自在に装着されている。回転手段１８によって、加湿フィルター枠部１７が、加湿フィルター部１６と共に回転するものである。
【００３９】
送風手段１４は、スクロール形状のケーシング部１９と、ケーシング部１９に固定されたモータ部２０と、モータ部２０によって回転する羽根部２１とを備えている。
【００４０】
このような構成における空気清浄および、加湿動作について説明する。
【００４１】
停止状態で、水タンクより水槽１５に常時一定の水位となるように水が供給され、この水に加湿手段１３の加湿フィルター部１６の一部が常時浸かった状態となっている。
【００４２】
そして、空気清浄装置を運転させると、駆動手段によって前面化粧板３の下部を上方、および前方へ回動させる。この回動によって、本体ケース１と前面化粧板３との間には、隙間である第１の吸気口９および第２の吸気口１０が出現する。
【００４３】
同時に、回転手段１８によって加湿フィルター枠部１７を回転させることで、加湿フィルター部１６が回転し、加湿フィルター部１６全体を湿らせる。そして、送風手段１４を動かすことにより、第１の吸気口９および第２の吸気口１０から本体ケース１内に空気が吸い込まれ、その後、空気は本体ケース１内に備えられた空気清浄フィルター１２Ａと、水を保持した状態の加湿フィルター部１６とを通過し加湿清浄空気となり、排気口２から室内に排出される。
【００４４】
本実施形態における特徴は、図１および図２に示すように、前面化粧板３の形状である。前面化粧板３は、前面化粧板３の途中から下端に向かうにつれて本体ケース１の前方側へ徐徐に突出している。
【００４５】
これにより、前面化粧板３の上部を回動中心とし、駆動手段によって前面化粧板３の下部を上方、かつ前方へ動かし、第２の吸気口を所定開口面積まで開口しても、前面化粧板が平板形状の場合に比べ、第１の吸気口の開口面積を小さくすることができる。結果として、第２の吸気口からの吸い込み風量が増加し、床上近傍の空気の吸い込み風量を更に増加させることができる。
【００４６】
結果として、第２の吸気口１０からの吸い込み風量が増加し、床上近傍の空気の吸い込み風量を更に増加させることができる。
【００４７】
具体的には、前面化粧板３は、図１、図２に示すように、上下方向に延びた曲面形状の曲面部２２を備えたものである。前面化粧板３は、縦長四角形の板形状で、上端部から上部途中までは、平面形状である平面部２３を有し、平面部２３の下端からは、本体ケース１における内方へ凸形状の曲面形状である曲面部２２を有するものである。
【００４８】
これにより、前面化粧板３の上部を回動中心とし、駆動手段によって前面化粧板３の下部を上方、かつ前方へ動かし、第２の吸気口１０を所定開口面積まで開口しても、前面化粧板が平板形状の場合に比べ、第１の吸気口９の開口面積を小さくすることができる。結果として、第２の吸気口１０からの吸い込み風量が増加し、床上近傍の空気の吸い込み風量を更に増加させることができる。
【００４９】
図４は、本発明の実施の形態１の空気清浄装置の分解図である。図４は、空気清浄装置から前面化粧板を外した状態を示す図である。
【００５０】
図３、図４に示すように、本体ケース１の前面における左右縁には、本体ケース１の前方側へ突出し、上下方向に延びたガイド部２４を備えたものである。ガイド部２４は、本体ケース１の前面における左右縁から前方側へ延びた細長板形状で、ガイド部２４の外面が、本体ケース１の側面と同一面である。ガイド部２４は、上部から下部に向かうにつれて、本体ケース１の前方側へ突出寸法が大きくなる。図１に示すように、空気清浄装置が停止している状態では、ガイド部２４の前端部２５は、前面化粧板３の内面に沿う形状である。
【００５１】
これにより、第１の吸気口９の開口面積を小さくすることができ、第２の吸気口１０からの吸い込み風量を増加させることができる。
【００５２】
図５は、本発明の実施の形態１の空気清浄装置の前面化粧板の斜視図である。図５は、前面化粧板を内面から見た図である。
【００５３】
図５に示すように、前面化粧板３の内面における左右寄りには、本体ケース１の内方へ突出し、上下方向に延びた２本の補強部２６を備えたものである。前面化粧板３は、樹脂成型された板形状であり、曲面部２２を備えているので、この曲面部２２にそりが発生し、曲面部２２の曲率が一定になり難い。そこで、このそりを抑制する為に、補強部２６を設けている。補強部２６は、断面形状が凹形状で、２本の端部が、前面化粧板３の内面と接触するように、固定手段２７によって前面化粧板３に固定されている。
【００５４】
２本の補強部２６が、前面化粧板３の内面における左右寄り配置されているので、曲面部２２のそりを抑制すると共に、第１の吸気口９から空気清浄手段１２へ繋がる風路に、２本の補強部２６が突出し、送風抵抗を増加させる。結果として、第１の吸気口９からの吸い込み風量を抑制でき、第２の吸気口１０からの吸い込み風量を増加させることができる。
【００５５】
また、補強部２６の本体ケース１内方へ突出する寸法は、補強部２６の上部より補強部２６の下部の方が大きいものである。補強部２６は、前面化粧板３の内面における平面部２３に接している補強部２６の上部より、曲面部２２の下部に接している補強部２６の下部の方が、補強部２６の凹形状の深さが大きいものである。
【００５６】
これにより、曲面部２２に接している補強部２６の強度が増し、曲面部２２のそりを更に抑制することができる。更に、前面化粧板３の上部を回動中心とし、前面化粧板３の下部を上方に回動すると、第１の吸気口９の下部は、第１の吸気口９の上部に比べて開口面積が大きくなる。この開口面積が大きい第１の吸気口９の下部において、補強部２６の本体ケース１内方へ突出する寸法が大きくなるので、第１の吸気口９から空気清浄手段１２へ繋がる風路に、２本の補強部２６が更に突出し、送風抵抗が更に増加する。結果として、第１の吸気口９からの吸い込み風量を更に抑制でき、第２の吸気口１０からの吸い込み風量を増加させることができる。
【００５７】
また、前面化粧板３の下部が、上方および前方へ移動した場合に、本体ケース１の一方側面側から見ると、補強部２６の少なくとも一部と、ガイド部２４の少なくとも一部とが重なるものでもよい。
【００５８】
これにより、第１の吸気口９から空気清浄手段１２へ繋がる風路の送風抵抗が増加し、第１の吸気口９からの吸い込み風量を抑制でき、第２の吸気口１０からの吸い込み風量を増加させることができる。
【００５９】
また、図４に示すように、前面化粧板３の上方には、本体ケース１の前面から本体ケースの前方側へ突出した表示部２８を備え、前面化粧板３の下部が上方および前方へ移動すると前面化粧板３の上端は、表示部２８より本体ケース１の内方へ移動するものである。
【００６０】
具体的には、本体ケース１の前面上部には、前方へ延びた２つの上部支持部２９を備え、本体ケース１の前面下部には、前方へ延びた２つの下部支持部３０を備えている。
【００６１】
図６は、本発明の実施の形態１の空気清浄装置の上部支持部を示す斜視図である。図７は、本発明の実施の形態１の空気清浄装置の下部支持部を示す斜視図である。
【００６２】
上部支持部２９は、断面形状が四角筒形状の棒３１と、この棒３１の両側面から水平方向に突出した半球形状の上部軸３２を備えている。同様に、下部支持部３０は、断面形状が四角筒形状の棒３３と、この棒３３の両側面から水平方向に突出した半球形状の下部軸３４を備えている。なお、空気清浄運転時には、駆動手段によって、下部支持部は本体ケースにおける前方へ移動する。なお、駆動手段の１例は、モータと、モータによって回転する平歯車と、平歯車とかみあうラックである。ラックが、下部支持部３０に固定され、モータによって平歯車が回転すると、ラックが前後方向に移動し、これに伴い下部支持部３０も移動するものである。
【００６３】
図５に示すように、前面化粧板３の内面上部には、上部支持部２９に回動自在に装着できる２つの上部受部３５を設け、前面化粧板３の内面下部には、下部支持部３０に回動自在に装着できる２つの下部受部３６を設けている。
【００６４】
図８は、本発明の実施の形態１の空気清浄装置の上部受部を示す斜視図である。図９は、本発明の実施の形態１の空気清浄装置の下部受部を示す斜視図である。
【００６５】
上部受部３５は、前面化粧板３の内面から本体ケース１における内方、および上下方向へ延び、平行に配置された２枚の板３７と、これら２枚の板３７の面に対して垂直方向に貫通した円形状の孔３８とを備えている。下部受部３６は、前面化粧板３の内面から本体ケース１における内方、および上下方向へ延び、平行に配置された２枚の板３９と、これら２枚の板３９の面に対して垂直方向に貫通した長円形状の長孔４０とを備えている。
【００６６】
前面化粧板３は、上部受部３５の孔３８に上部支持部２９の上部軸３２が入り、下部受部３６の長孔４０に下部支持部３０の下部軸３４が入ることによって、回動自在となる。上部支持部２９の上部軸３２が、前面化粧板３の上部の回動中心となる。
【００６７】
図３、７、９に示すように、空気清浄運転時に、駆動手段によって下部支持部３０は本体ケース１における前方へ移動すると、前面化粧板３の下部も同時に前方へ移動する。この時に、上部支持部２９の上部軸３２が、前面化粧板３の上部の回動中心となり、下部支持部３０の下部軸３４が、下部受部３６の長孔４０の上部から下部へ移動するように、前面化粧板３の下部が上方へ回動する。そして、上部受部３５は、前面化粧板３の上端より所定距離下方に配置されているので、前面化粧板３の上端は、本体ケース１における内方へ移動する。
【００６８】
これにより、前面化粧板３の上端と本体ケース１との隙間が小さくなり、第２の吸気口１０からの吸い込み風量を増加できる。
【００６９】
なお、前面化粧板３の上端と本体ケース１の前面との隙間を抑えるために、停止状態で前面化粧板３を本体ケース１の前面に接触させることも考えられるが、僅かなそりによって、前面化粧板３と本体ケース１との間にところどころ隙間が発生するとデザイン性が低下する。そこで、前面化粧板３と本体ケース１との間には、一様な隙間が必要となるものである。
【産業上の利用可能性】
【００７０】
以上のように本発明は、家庭用や事務所用などの、空気清浄装置として活用が期待されるものである。
【符号の説明】
【００７１】
１      本体ケース
２      排気口
３      前面化粧板
４      吸気口
５      第１の排気口
６      第２の排気口
７      第１の風向板
８      第２の風向板
９      第１の吸気口
１０      第２の吸気口
１１      風路
１２      空気清浄手段
１２Ａ    空気清浄フィルター
１３      加湿手段
１４      送風手段
１５      水槽
１６      加湿フィルター部
１７      加湿フィルター枠部
１８      回転手段
１９      ケーシング部
２０      モータ部
２１      羽根部
２２      曲面部
２３      平面部
２４      ガイド部
２５      前端部
２６      補強部
２７      固定手段
２８      表示部
２９      上部支持部
３０      下部支持部
３１      棒
３２      上部軸
３３      棒
３４      下部軸
３５      上部受部
３６      下部受部
３７      板
３８      孔
３９      板
４０      長孔
【図１】
2017032227.tif 000003
【図２】
2017032227.tif 000004
【図３】
2017032227.tif 000005
【図４】
2017032227.tif 000006
【図５】
2017032227.tif 000007
【図６】
2017032227.tif 000008
【図７】
2017032227.tif 000009
【図８】
2017032227.tif 000010
【図９】
2017032227.tif 000011
【図１０】
2017032227.tif 000012